(57)【特許請求の範囲】
【請求項１】
磁気テープを巻装した単一のリールをカートリッジケース内に回転可能に収容し、さらに該カートリッジケース内に、使用時に前記リールの回転を許容し、不使用時に前記リールの回転を拘束するリール回転制止手段を備えた磁気テープカートリッジにおいて、
前記リール回転制止手段は、前記リールと一体に回転してドライブ側回転駆動手段のチャッキング動作に応じてリールの回転軸と平行に移動する解除部材と、前記カートリッジケースに固着され前記解除部材の一部と係合してリールの回転を拘束する制止部材と、前記解除部材を制止部材との係合方向に付勢する付勢部材とを有し、
前記付勢部材を、基部が前記リールに取り付けられ、先端が前記解除部材に当接し該解除部材をリールの回転軸と平行に付勢する板バネで構成したことを特徴とする磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容してなる磁気テープカートリッジにおいて、上記リールを不使用時に回転制止状態とするリール回転制止手段の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また保管時等の不使用時には不用意に磁気テープが引き出されないように、上記リールの回転を拘束するリール回転制止手段が設置されている。
【０００３】
上記リール回転制止手段は、リールの一部に係合してその回転を拘束する制止部材を備え、カートリッジを外部記憶装置等のドライブに装填した際には、上記制止部材をドライブ側回転駆動手段によるリールのチャッキング動作に応じて制止状態を解除するように設けている。
【０００４】
【発明が解決しようとする課題】
しかして、前述のリール回転制止手段の動作の信頼性向上、カートリッジケース内への塵埃の侵入防止等の要求から、制止部材をドライブ側回転駆動手段によって直接移動させる構造とせず、中間に解除部材を介装して制止状態を解除する構造に設けることが考えられる。
【０００５】
上記のような解除部材を介装する構造を設けるについては、カートリッジケース内におけるリール回転制止手段の設置スペースは狭く、制止状態を保持する付勢部材の変形量の確保及び解除移動量を確保するために、前記解除部材の厚みが薄くなって撓み変形が大きくなり、この解除部材の移動が阻害されたり、解除移動量が不足してリールの制止状態の解除が確実に行えなくなる可能性がある。
【０００６】
また、リール回転制止手段における解除状態でのリールの回転を行う際に、リールと一体に回転する部材と回転しない部材との摺接が発生すると、駆動抵抗の増大、摺動部分の磨耗に伴う粉体の発生等の問題が生じる恐れがある。さらに、制止状態を保持するための付勢部材にコイルスプリングを使用すると、このコイルスプリングの変形量を確保するための空間が大きく必要となって、前述の設置スペースの点から、解除部材の厚みの確保がより困難となる。
【０００７】
本発明は上記点に鑑みなされたもので、リール回転制止手段の解除部材の撓み変形の抑制による確実な解除動作の確保及び摺動に伴う摩耗の問題を解消するようにした磁気テープカートリッジを提供せんとするものである。
【０００８】
【課題を解決するための手段】
上記課題を解決した本発明の磁気テープカートリッジは、磁気テープを巻装した単一のリールをカートリッジケース内に回転可能に収容し、さらに該カートリッジケース内に、使用時に前記リールの回転を許容し、不使用時に前記リールの回転を拘束するリール回転制止手段を備えたものにおいて、前記リール回転制止手段は、前記リールと一体に回転してドライブ側回転駆動手段のチャッキング動作に応じてリールの回転軸と平行に移動する解除部材と、前記カートリッジケースに固着され前記解除部材の一部と係合してリールの回転を拘束する制止部材と、前記解除部材を制止部材との係合方向に付勢する付勢部材とを有し、前記付勢部材を、基部が前記リールに取り付けられ、先端が前記解除部材に当接し該解除部材をリールの回転軸と平行に付勢する板バネで構成したことを特徴とするものである。
【０００９】
【発明の効果】
上記のような本発明によれば、リール回転制止手段を解除部材と制止部材と付勢部材とで形成し、前記付勢部材をリールに取り付けた板バネで構成したことにより、リール回転制止手段をコンパクトに形成して設置スペースの有効利用を図り、解除部材の厚みを十分に大きく設けることができてその撓み変形が低減し、解除部材の移動が安定して行えることに伴って確実な解除動作が行え、動作信頼性を確保することができると共に、摩耗部分をなくして、駆動抵抗の減少による安定したリールの回転が行え、摩耗粉の発生を抑制して記録再生性能の信頼性を確保することができるものである。
【００１０】
【発明の実施の形態】
以下、図面に示す実施の形態に基づいて本発明を詳細に説明する。図１は一つの実施の形態における磁気テープカートリッジの不使用状態における断面図、図２は要部の分解斜視図、図３は使用状態における要部断面図である。
【００１１】
磁気テープカートリッジ１は、単一のリール２に磁気テープ（図示省略）を巻装し、上ケース３１と中心部に開口３２ａが設けられた下ケース３２とがビス等により締結されてなるカートリッジケース３内に、上記リール２を回動可能に収容して構成されている。また、上記磁気テープカートリッジ１は、使用時に前記リール２の回転を許容し、不使用時に前記リール２の回転を拘束するリール回転制止手段１０を備えている。
【００１２】
前記リール２は、磁気テープが外周に巻回される有底円筒状のリールハブ２１と、このリールハブ２１の上下端外周からそれぞれ径方向に円盤状に張り出した下フランジ部２２及び上フランジ部２３とからなり、リールハブ２１と下フランジ部２２とが合成樹脂により一体成形され、上フランジ部２３と例えば超音波溶着により結合されている。上記リールハブ２１は中心側下部が底壁２１ａにより閉じられ、該底壁２１ａの下面外周部にはリール２を回転駆動するリールギヤ２４が環状に刻設され、このリールギヤ２４より内周側にはマグネット式吸引用の環状金属板によるリールプレート２５が取り付けられる。そして、上記リール２のリールギヤ２４及びリールプレート２５がカートリッジケース３の底面の開口３２ａに臨むように配置されている。
【００１３】
また、ドライブ側回転駆動手段１１は、回転シャフト１２の上端面に円環状の駆動ギヤ１３とマグネット（図示せず）を備え、そのチャッキング動作は装填された磁気テープカートリッジ１に対して回転シャフト１２が上昇移動し、駆動ギヤ１３が前記リールギヤ２４に噛合すると共に、マグネットにより上記リールプレート２５を吸引して噛合状態を保持する。
【００１４】
次に、前記リール回転制止手段１０の機構を説明する。このリール回転制止手段１０は、前記リール２と一体に回転して前記ドライブ側回転駆動手段１１のチャッキング動作に応じて移動する解除部材４と、前記カートリッジケース３に固着され解除部材４の一部と係合してリール２の回転を拘束する制止部材５と、前記解除部材４を制止部材５との係合方向に付勢する付勢部材６とを有している。
【００１５】
前記リール２の底壁２１ａには、前記リールギヤ２４の部分を上下方向に貫通する３個の挿通孔２６が円周上で等間隔に配設され、さらに、リールハブ２１の筒部内周には上記挿通孔２６と異なる位相位置に３個の挿入支持部２７が円周上で等間隔に配置され、この挿入支持部２７は上方から後述の板バネによる付勢部材６の板状基部が挿入可能な溝が形成されている。なお、上記挿通孔２６及び挿入支持部２７は３個以上配置してもよい。図２に示すリール２は、底壁２１ａの部分のみ切除した状態で示している。
【００１６】
前記制止部材５は、円盤部５１の上面外周部に円環状に制止用ギヤ５２が刻設され、上面中心部には突起部５３が上方に延びて形成され、この突起部５３がカートリッジケース３の上ケース３１内面に立設された円環部３１ａ内に挿入されて固着され回転不能に設置されている。この設置状態の制止部材５は、前記リール２のリールハブ２１内にその底壁２１ａと対向して配置されている。
【００１７】
前記解除部材４は、円盤部４１が前記制止部材５の円盤部５１上に上下移動可能に介装され、この円盤部４１の下面には前記制止部材５の制止用ギヤ５２と噛合可能な制止用ギヤ４２が円環状に刻設されている。さらに円盤部４１の外周の３個所に下方向に延びる角棒状の押上部４３がそれぞれ設けられている。各押上部４３は、前記リールハブ２１に開口された挿通孔２６にそれぞれ出没移動可能に挿通され、その先端はリールハブ２１下面のリールギヤ２４の歯部に臨んで位置する。
【００１８】
さらに、前記付勢部材６は３個の板バネで構成され、縦板状の基部が前記リールハブ２１の各挿入支持部２７に挿入されてリール２に取り付けられ、リール２の中心方向に屈曲した先端変形部が、前記解除部材４の円盤部４１の上面に当接するようになっている。この付勢部材６の撓み変形で解除部材４を下方にその制止用ギヤ４２と制止部材５の制止用ギヤ５２とが係合する制止方向に付勢している。
【００１９】
そして、前記解除部材４の最下降位置（図１）では、押上部４３の下端面はリールギヤ２４の略歯先位置となり、上記リールギヤ２４にドライブ側回転駆動手段１１のチャッキング動作により駆動ギヤ１３が噛合するのに応じて解除部材４が所定のストローク量で押し上げられるようになっている（図３）。また、この解除部材４は、押上部４３の挿通孔２６への嵌合によりリール２と一体に回転する。
【００２０】
前記リール回転制止手段１０の作用を説明すれば、図１は磁気テープカートリッジの保管状態等の不使用時であり、この状態では、付勢部材６の付勢力によって解除部材４は最下降状態にあり、その押上部４３は先端部がリールギヤ２４の歯先位置に一致するように突出しており、その制止用ギヤ４２が制止部材５の制止用ギヤ５２と係合してリール２の不使用時における回転が拘束され、磁気テープの引き出しを阻止する。
【００２１】
一方、磁気テープカートリッジ１をドライブに装填した図３のカートリッジ使用時は、ドライブ側回転駆動手段１１の回転シャフト１２がリール２の底面に対して接近し、チャッキング動作によって駆動ギヤ１３がリールギヤ２４に噛合しリール２を若干上方に移動させて保持すると、上記駆動ギヤ１３の歯先が解除部材４の押上部４３の先端に当接してこれを押し上げる。この解除部材４は十分な厚みに設けていることで撓み変形も少なく、付勢部材６の付勢力に抗して解除方向へ移動し、これにより該解除部材４の制止用ギヤ４２と制止部材５の制止用ギヤ５２との係合を確実に解除し、リール２が回転自在とされる。
【００２２】
そして、記録再生装置のドライブによって磁気テープが引き出され又は巻き取りによってリール２が回転すると、該リール２及び付勢部材６と一体に解除部材４は制止部材４と非接触で回転する。これにより、リール２の回転抵抗が低減し、摩耗粉の発生もなくなる。
【００２３】
なお、解除部材４とリールハブ２１とに、リール２の制止状態で係合し、解除状態で外れる凸部と凹部による係合構造を設けてもよい。
【図面の簡単な説明】
【図１】本発明の一つの実施の形態による磁気テープカートリッジの不使用状態における断面正面図
【図２】図１の磁気テープカートリッジの要部の分解斜視図
【図３】図１の磁気テープカートリッジの使用状態における要部断面図
【符号の説明】
１    磁気テープカートリッジ
２    リール
３    カートリッジケース
４    解除部材
５    制止部材
６    付勢部材
10    リール回転制止手段
11    ドライブ側回転駆動手段
12    回転シャフト
13    駆動ギヤ
21    リールハブ
21a     底壁
24    リールギヤ
25    リールプレート
26    挿通孔
27    挿入支持部
41    円盤部
42    制止用ギヤ
43    押上部
51    円盤部
52    制止用ギヤ
53    突起部
【図１】
0003952100.tif 000002
【図２】
0003952100.tif 000003
【図３】
0003952100.tif 000004